(57)【要約】【課題】便座の着座面に隣接する外周縁部を容易に昇温可能な暖房便座を提供することである。【解決手段】暖房便座１は、略輪状を成した便座本体２を有している。便座本体２は、合成樹脂で形成されており、断面視で略コ字状を成している。便座本体２は、利用者の尻部が当接する部位である着座部２ａと、着座部２ａに連設された側面フランジ部２ｂ，２ｃを有している。側面フランジ部２ｂの略中央には、温水循環経路１０を成す空洞２ｄが設けられている。温水循環経路１０に、温水を通すことで、側面フランジ部２ｂを容易に昇温することが可能である。【選択図】図１
2013085922.tif 000002
【特許請求の範囲】
【請求項１】
合成樹脂で形成された便座本体を有し、前記便座本体は着座部と該着座部に連設する側面フランジ部を有し、前記着座部を昇温可能な加熱手段を有し、前記側面フランジ部の内部には空洞が設けられており、前記空洞は便座本体の外周の一部に沿って配置されており、前記空洞は温水を通過させることが可能な温水循環経路であることを特徴とする暖房便座。
【発明の詳細な説明】
【技術分野】
【０００１】
本発明は、暖房便座に関し、さらに詳細には、便座本体の側面フランジ部を容易に昇温可能な暖房便座に関する。
【背景技術】
【０００２】
暖房便座においては、利用者の尻部が当接する着座面が均一に暖められていることが望ましい。例えば、特許文献１には、便座の着座面の温度ムラを抑制可能な暖房便座が開示されている。
【０００３】
特許文献１に記載された暖房便座では、中空構造の便座内に面状ヒータが配置されている。面状ヒータは、便座の着座面の裏面側に位置しており、さらに面状ヒータの後ろ側には放熱部材が設けられている。放熱部材は、面状ヒータよりもやや小さく、面状ヒータの略中央部に位置するもので、面状ヒータの中央付近の熱を逃がすことで、便座の着座面の一部が局所的に加熱されることを防止している。つまり、特許文献１に記載の暖房便座を用いることで、着座面を略均等に暖めることが可能である。
【先行技術文献】
【特許文献】
【０００４】
【特許文献１】特開２０１１−２４９０５号公報
【発明の概要】
【発明が解決しようとする課題】
【０００５】
特許文献１に記載の暖房便座は、内部に面状ヒータ等を配置するために中空構造を有している。そのため、特許文献１に記載の暖房便座は、断面視で略コ字状の着座部材と、土台となる便座ベースとに分割されている。着座部材と便座ベースとは、嵌合部材を介して接続されている。便座は平面視で略円状を成しており、嵌合部材は便座の内周縁部と外周縁部にそれぞれ設けられている。嵌合部材は、熱可塑性樹脂やエラストマ等で構成されており、着座部材に加わる負荷を支持可能なように十分な厚みを有している。
【０００６】
また、略円状の便座は、断面視で内側へ傾斜が設けられており、内周縁部よりも外周縁部の方が高さを有している。特許文献１に記載の暖房便座においては、主に着座面を暖めるための面状ヒータでは、十分な厚みと高さを有する外周縁部が暖まり難いと考えられる。例えば、利用者が着座した時のみ電源が入る節電式の面状ヒータでは、着座面に隣接する外周縁部を所望の温度まで暖めることができない恐れがある。便座の着座面は、使用者によっては必ずしも適正な大きさではない場合があり、着座面の隣接部まで尻部が接触することがある。そのため、暖まっていない着座面の隣接部に尻部が触れた際に、使用者に不快感を与える場合がある。
【０００７】
そこで、本発明は、便座の着座面に隣接する外周縁部を容易に昇温可能な暖房便座の提供を目的とする。
【課題を解決するための手段】
【０００８】
上記課題を解決するための請求項１に記載の発明は、合成樹脂で形成された便座本体を有し、前記便座本体は着座部と該着座部に連設する側面フランジ部を有し、前記着座部を昇温可能な加熱手段を有し、前記側面フランジ部の内部には空洞が設けられており、前記空洞は便座本体の外周の一部に沿って配置されており、前記空洞は温水を通過させることが可能な温水循環経路であることを特徴とする暖房便座である。
【０００９】
本発明で採用する暖房便座は、便座本体において、着座部と該着座部に連設する側面フランジ部を有し、前記側面フランジ部の内部には空洞が設けられている。側面フランジ部とは、便座本体の外周縁部を指している。そして、前記空洞は温水を通過させることが可能な温水循環経路を成している。そのため、昇温された温水を温水循環経路に通過させることで、便座本体の外周縁部である側面フランジ部を容易に昇温させることが可能である。温水循環経路を循環させる温水は、尻部を洗浄する温水を弁を介して分岐利用することが望ましい。
【発明の効果】
【００１０】
本発明の暖房便座によれば、便座の着座面に隣接する外周縁部を容易に昇温できる。
【図面の簡単な説明】
【００１１】
【図１】本発明の実施形態に係る暖房便座を示すものであり、（ａ）は斜視図、（ｂ）は（ａ）におけるＡ−Ａ断面図である。
【図２】図１の暖房便座に温水循環回路を接続した状態を示す回路図である。
【図３】図１の暖房便座に温風循環回路を接続した状態を示す回路図である。
【図４】図１の暖房便座の変形例を示すものであり、（ａ）は便座本体の断面図であり、（ｂ）は（ａ）の空洞のみを描写した斜視図である。
【発明を実施するための形態】
【００１２】
以下、本発明の暖房便座の実施形態について、図面を参照しながら詳細に説明する。なお、以下の説明は、実施形態の理解を容易にするためのものであり、これによって、本発明が制限して理解されるべきではない。
【００１３】
本発明の実施形態に係る暖房便座１は、図１（ａ）に示すように、略輪状を成した便座本体２を有し、便座本体２の内部に温水循環経路１０を有している。温水循環経路１０は、暖房便座１の外周に沿って配置されている。
【００１４】
図１（ｂ）に示すように、暖房便座１は中空構造を有しており、断面視で略コ字状の便座本体２と、土台となる裏板３とを有している。
【００１５】
便座本体２は、合成樹脂で形成されており、断面視で略コ字状を成している。便座本体２は、利用者の尻部が当接する部位である着座部２ａと、着座部２ａに連設された側面フランジ部２ｂ，２ｃを有している。側面フランジ部２ｂは、暖房便座１の外周を成す外周縁部である。同じく、側面フランジ部２ｃは、暖房便座１の内周を成す内周縁部である。
【００１６】
側面フランジ部２ｂと側面フランジ部２ｃとは、着座部２ａに加わる負荷を支持するため、肉厚が大きくなるように形成されている。
【００１７】
側面フランジ部２ｂの略中央には、温水循環経路１０を成す空洞２ｄが設けられている。空洞２ｄは、図１（ａ）に示したように、略Ｕ字状である。つまり、１本の温水循環経路１０が側面フランジ部２ｂに設けられている。温水循環経路１０に、温水を通すことで、着座部２ａに隣接する側面フランジ部２ｂを容易に昇温することが可能である。空洞２ｄは、合成樹脂製の便座本体２を成形する際に、ガスアシスト成形やガスインジェクション成形等の方法で形成することが好ましい。
【００１８】
なお、本実施形態に係る暖房便座１は、一般的な暖房便座と同様に、電気ヒータ５を有している。電気ヒータ５は、便座本体２の着座部２ａの裏面側に配置されており、着座部２ａをより速く昇温することが可能である。
【００１９】
側面フランジ部２ｂの端部の一部には、略凸状の嵌合凸部２ｅが設けられている。同様に、側面フランジ部２ｃの端部の一部にも、略凸状の嵌合凸部２ｆが設けられている。
【００２０】
裏板３は、難燃性の合成樹脂で形成されており、便座本体２の土台となるものである。裏板３の両端部には、それぞれ略凹状の嵌合凹部３ａ，３ｂが設けられている。
【００２１】
便座本体２と裏板３とは、両者の端部同士で嵌合している。詳述すると、便座本体２の嵌合凸部２ｅ，２ｆと、裏板３の嵌合凹部３ａ，３ｂとは、それぞれ嵌合している。嵌合凸部２ｅと嵌合凹部３ａ、並びに嵌合凸部２ｆと嵌合凹部３ｂは、それぞれ２次成形部材である接着性樹脂２０で強固に接合されている。
【００２２】
つぎに、本発明の実施形態に係る暖房便座１において、温水循環経路１０に温水を循環させる方法について、図２，３を用いて説明する。
【００２３】
図２において、暖房便座１には、温水循環回路３０が設けられている。温水循環回路３０は、ポンプ３１と、電気ヒータ３２と、配管３３と、温水循環経路１０とによって構成されている。温水循環経路１０と配管３３とは接続されて環状路を形成しており、配管３３の一部にポンプ３１と電気ヒータ３２とが設けられている。温水循環回路３０では、水を熱媒体として用いており、電気ヒータ３２で昇温された水はポンプ３１によって温水循環経路１０に運ばれる。その結果、便座本体２の側面フランジ部２ｂが温水で昇温される。この場合、熱媒体である水は、尻部の洗浄に使用される温水を弁等により分岐し利用することができる。
【００２４】
一方、図３においては、暖房便座１には、温風循環回路４０が設けられている。温風循環回路４０は、送風機４１と、電気ヒータ４２と、配管４３と、温水循環経路１０とによって構成されている。温水循環経路１０は、温風循環経路として使用される。前述の温水循環回路３０と同様に、温水循環経路１０と配管４３とは接続されて環状路を形成しており、配管４３の一部に送風機４１と電気ヒータ４２とが設けられている。温風循環回路４０では、空気を熱媒体として用いており、電気ヒータ４２で昇温された空気は送風機４１によって温水循環経路１０に運ばれる。その結果、便座本体２の側面フランジ部２ｂが温風で昇温される。空気を熱媒体として用いる場合は、熱媒体が漏出した際にも特に問題となる恐れがないものである。
【００２５】
なお、温水循環回路３０又は温風循環回路４０において、熱媒体である温水又は温風は、比較的低温である摂氏４５度（４５℃）程度であれば、温水循環経路１０に循環させ続けることが好ましく、比較的高温である摂氏６０度（６０℃）程度であれば、利用者が便座本体２に着座した際にのみ温水循環経路１０に循環させることが好ましい。
【００２６】
以上のように、本発明の実施形態に係る暖房便座１によれば、便座本体２の側面フランジ部２ｂに設けられた温水循環経路１０に温水を循環させることで、容易に側面フランジ部２ｂを昇温できる。
【００２７】
また、着座部２ａは電気ヒータ５で暖め、側面フランジ部２ｂは温水で暖めるというように、着座部２ａと側面フランジ部２ｂとを別々の方法で温度制御ができるので、制御方法の自由度が高い。
【００２８】
上記実施形態において、暖房便座１に設けた温水循環経路１０は、図１〜３に示したように、略Ｕ字状の１本の空洞２ｄとする例を示したが、本発明はこれに限定されるものではない。例えば、図４（ａ），（ｂ）に示すように、上下２本の空洞５１，５２を設け、空洞５１，５２の一方の端部同士を連結し、１本の温水循環経路１０としても構わない。
【符号の説明】
【００２９】
１    暖房便座
２    便座本体
２ａ    着座部
２ｂ    側面フランジ部
２ｄ    空洞
５    電気ヒータ（加熱手段）
１０    温水循環経路
５１，５２    空洞
【図１】
2013085922.tif 000003
【図２】
2013085922.tif 000004
【図３】
2013085922.tif 000005
【図４】
2013085922.tif 000006